(57)【要約】【課題】本を固定するための糊や剥離するための剥離糊が不要であると共に、厚い冊子を添付可能なブックケースを提供する。【解決手段】底板１、天板２、側板３、前板４、後板５、小フラップ６、差込フラップ７、糊代片８、背表紙板９、表紙板１０、折返板１１、糊代片１２ａ、糊代片１２ｂにより構成される基材（図（ａ））の各構成要素間を全て谷折する。底板１〜糊代片８によりサック箱７０を形成すると共に、表紙板１０、折返板１１、糊代片１２ａ、糊代片１２ｂにより表紙保持部を形成することによりブックケースを作成する。表紙保持部に本８０の表紙８１を差し込むことにより本がブックケースに固定される（図（ｂ）　（ｃ））。【選択図】　図１
2004058506.tif 000002
【特許請求の範囲】
【請求項１】
サック箱を構成する基材と同一基材により表紙板、折返板、糊代片を形成して成り、前記折返板を折り返して糊代片で表紙板と折返板を固着することにより、サック箱側に本の表紙を差し込むための開口を有する表紙保持部を設けて成ることを特徴とするブックケース。
【請求項２】
前記糊代片は前記折返板に設けられており、前記糊代片を前記表紙板に貼着することにより前記表紙保持部を形成することを特徴とする請求項１に記載のブックケース。
【請求項３】
前記糊代片は前記表紙板に設けられており、前記糊代片を前記折返板に貼着することにより前記表紙保持部を形成することを特徴とする請求項１に記載のブックケース。
【請求項４】
前記サック箱は、天板および底板を有しており、閉じた際に、天板と本が向き合う状態となるブックケースであって、前記天板には１つ以上のスリットが形成されて成ることを特徴とする請求項１から請求項３のいずれかに記載のブックケース。
【発明の詳細な説明】
【０００１】
【産業上の利用分野】
本発明は、箱とブックカバーが一体となったブックケースに関する。
【０００２】
【従来の技術】
従来より、販売促進等のため、本に付録を付けて販売することが行われている。本に付録を添付するための具体的手法としては、段ボール等の綴じ込み、シュリンク、同時結束を利用したものなどがある。これらの手法は、段ボールの綴じ込みは本が開きにくく、シュリンクや同時結束は、中身の確認がしづらいという問題がある。
【０００３】
近年では、付録の大型化に伴い、ブックカバーにサック箱を備えたブックケースを利用して、サック箱に付録を入れて、本を販売することが行われており、従来の手法に比べ、改善がなされてきている。
【０００４】
図１に、このようなサック箱を有するブックケースの一例を示す。図８（ａ）は従来のブックケースの展開図である。図８（ａ）において、１は底板、２は天板、３は側板、４は前板、５は後板、６は小フラップ、７は差込フラップ、８は糊代片、９は背表紙板、１０は表紙板である。図８（ａ）の展開図で示されるブックケースを組み立てた場合の外観図を図８（ｂ）に示す。図８（ｂ）に示した底板１、天板２、側板３、前板４、後板５、小フラップ６、差込フラップ７、糊代片８によってサック箱が構成され、表紙板１０には、出来本８０の表紙８１が貼着される。図８（ｂ）におけるＨ−Ｈ線断面図を図８（ｃ）に示す。図８（ｃ）に示すように、出来本８０の表紙８１のみが表紙板１０に貼着されることにより出来本８０がブックケースに固定されることになる。
【０００５】
【発明が解決しようとする課題】
しかしながら、上記従来のブックケースでは、表紙板に出来本（冊子）を貼り込むようになっているため、糊が必要となる、貼り込むために手間がかかる、きれいに剥がすには高価な剥離糊が必要となる、本が厚い場合には貼り込み強度が足りない等の問題がある。
【０００６】
上記のような点に鑑み、本発明は、本を固定するための糊や剥離するための剥離糊が不要であると共に、厚い冊子を添付可能なブックケースを提供することを課題とする。
【０００７】
【課題を解決するための手段】
上記課題を解決するため、本発明では、ブックケースを、サック箱を構成する基材と同一基材により表紙板、折返板、糊代片を形成して成り、前記折返板を折り返して糊代片で表紙板と折返板を固着することにより、サック箱側に本の表紙を差し込むための開口を有する表紙保持部を設けた構成としたことを特徴とする。
【０００８】
本発明によれば、表紙板側に折返板を設け、この折返板と表紙板により形成される保持部により、本の表紙を保持するようにしたので、本をブックケースに固定するための糊や剥離するための剥離糊が不要であると共に、厚い冊子を容易にブックケースに添付可能となる。
【０００９】
また、本発明において、サック箱の天板に複数のスリットを有する構成とした場合には、本の裏表紙を固定することも可能となる。
【００１０】
【発明の実施の形態】
以下、本発明の好適な実施形態について、図面を参照して詳細に説明する。
（第１の実施形態）
本発明第１の実施形態によるブックケースを図１に示す。図１（ａ）は本発明第１の実施形態によるブックケースの展開図、図１（ｂ）は、図１（ａ）に示したブックケースを組み立てた状態の外観図、図１（ｃ）は、図１（ｂ）のＡ−Ａ線における断面図である。図１（ａ）において、１１は折返板、１２ａ、１２ｂは糊代片、１は底板、２は天板、３は側板、４は前板、５は後板、６は小フラップ、７は差込フラップ、８は糊代片、９は背表紙板、１０は表紙板である。底板１から糊代片８は、サック箱を構成するためのものであり、背表紙板９を介して表紙板１０と繋がっている。背表紙板９の幅（図面中、左右方向）は、ブックカバーを閉じたときにきれいに収まるように、本の厚みを考慮して、側板３の幅よりも広くなっている。この底板１から表紙板１０までの構成は、従来のものと全く同じであり、本発明の特徴は、表紙板１０の先に折返板１１、糊代片１２ａ、１２ｂが繋がった構成となっている点である。なお、図１（ａ）に示した展開図で示すブックケースは１枚の用紙を打ち抜き加工することにより形成されている。ここで、用紙は、天間製紙株式会社製「ＧＯＤ−Ｆ」（３１０ｇ／ｍ２）などのボード紙を使用している。
【００１１】
図１（ａ）の展開図で示したブックケースは、各板、フラップ、糊代片の間を全て谷折することにより、図１（ｂ）に示したような外観を呈するブックケースが形成される。なお、サック箱７０形成の際、糊代片８には糊付けが行われた後、底板１の左端に貼着される。また、糊代片１２ａ、１２ｂにも糊付けが行われた後、糊代片１２ａ、１２ｂをそれぞれ、表紙板１０の上端、下端に貼着することにより、表紙保持部が形成される。表紙保持部はサック箱７０側（図中右側）に開口が設けられることになるため、出来本の表紙が、サック箱７０側から挿入されることにより、本が固定されることになり、ブックケースとしての役割を果たす。図１（ｂ）の展開図は、ブックケースの組み立て後、表紙保持部に、出来本の表紙を挿入することにより、出来本を固定した状態を示している。図１（ｂ）におけるＡ−Ａ線に沿う断面図を図１（ｃ）に示す。図１（ｃ）を見ると良くわかるように、表紙８１が表紙板１０と折返板１１の間に差し込まれた状態となっている。
【００１２】
（第２の実施形態）
本発明第２の実施形態によるブックケースを図２に示す。図２（ａ）は本発明第２の実施形態によるブックケースの展開図、図２（ｂ）は、図２（ａ）に示したブックケースを組み立てた状態の外観図、図２（ｃ）は、図２（ｂ）のＢ−Ｂ線における断面図である。図２（ａ）において、２１は折返板、２２は糊代片、２３は保持片である。なお、その他第１の実施形態と同一の部分については、同一の符号を付して説明を省略する。第２の実施形態の特徴は、表紙板１０の上側に折返板２１が設けられており、糊代片２２が表紙板１０の下側に設けられており、保持片２３が表紙板１０の左側に設けられている点である。なお、図２（ａ）に示した展開図で示すブックケースも１枚の用紙を打ち抜き加工することにより形成されている。
【００１３】
図２（ａ）の展開図で示したブックケースも、各板、フラップ、糊代片の間を全て谷折することにより、図２（ｂ）に示したような外観を呈するブックケースが形成される。糊代片２２には糊付けが行われた後、折り返された折返板２１に貼着することにより、表紙保持部が形成される。表紙保持部はサック箱７０側（図中右側）に開口が設けられることになるため、出来本８０の表紙８１が、サック箱７０側から挿入されることにより、本が固定されることになり、ブックケースとしての役割を果たす。表紙保持部のサック箱７０と反対側（図中左側）は、保持片２３を表紙板１０と折返板２１との間に差し込むことにより出来本を抑えることができる。図２（ｂ）におけるＢ−Ｂ線に沿う断面図を図２（ｃ）に示す。図２（ｃ）を見ると良くわかるように、表紙８１が表紙板１０と折返板２１の間に差し込まれ、保持片２３に保持された状態となっている。図２においては、表紙板１０と折返板２１の幅は同一で示したが、折返板２１の幅は、保持片２３が外れない範囲で小さくすることができる。言い換えれば、保持片２３の幅に応じて折返板２１の幅を変化させることができる。なお、第２の実施形態においては、保持片２３を設けない構成とすることもできる。この場合は、表紙板１０と折返板２１の幅を同一とすることが好ましい。
【００１４】
（第３の実施形態）
本発明第３の実施形態によるブックケースを図３に示す。図３（ａ）は本発明第３の実施形態によるブックケースの展開図、図３（ｂ）は、図３（ａ）に示したブックケースを組み立てた状態の外観図、図３（ｃ）は、図３（ｂ）のＣ−Ｃ線における断面図である。図３（ａ）において、３１は折返板、３２ａ、３２ｂは糊代片である。なお、その他上述の他の実施形態と同一の部分については、同一の符号を付して説明を省略する。第３の実施形態の特徴は、折返板３１、糊代片３２ａ、３２ｂが、第１の実施形態に示した折返板１１、糊代片１２ａ、１２ｂに比べてその幅が短くなっている点である。なお、図３（ａ）に示した展開図で示すブックケースも１枚の用紙を打ち抜き加工することにより形成されている。
【００１５】
図３（ａ）の展開図で示したブックケースは、各板、フラップ、糊代片の間を全て谷折することにより、図３（ｂ）に示したような外観を呈するブックケースが形成される。第１の実施形態と同様、糊代片３２ａ、３２ｂに糊付けが行われた後、糊代片３２ａ、３２ｂをそれぞれ、表紙板１０の上端、下端に貼着することにより、表紙保持部が形成される。表紙保持部はサック箱７０側（図中右側）に開口が設けられることになるため、出来本の表紙が、サック箱７０側から挿入されることにより、本が固定されることになり、ブックケースとしての役割を果たす。図３（ｂ）の展開図は、ブックケースの組み立て後、表紙保持部に、出来本８０の表紙を挿入することにより、出来本８０を固定した状態を示している。図３（ｂ）におけるＣ−Ｃ線に沿う断面図を図３（ｃ）に示す。図３（ｃ）を見ると良くわかるように、本８０の表紙８１が表紙板１０と折返板３１の間に差し込まれた状態となっている。第１の実施形態と第３の実施形態の違いとしては、第３の実施形態の方が保持部の左右方向の幅が狭くなるため、基材として用いる紙が少ないため、コストが低くなると共に本の表紙の挿入がし易いという利点がある。反面、第１の実施形態には、挿入した本の表紙が、第３の実施形態に比べて外れ難いという利点がある。
【００１６】
（第４の実施形態）
本発明第４の実施形態によるブックケースを図４に示す。図４（ａ）は本発明第４の実施形態によるブックケースの展開図、図４（ｂ）は、図４（ａ）に示したブックケースを組み立てた状態の外観図、図４（ｃ）は、図４（ｂ）のＤ−Ｄ線における断面図である。図４（ａ）において、４１は折返板、４２は糊代片である。なお、その他上述の他の実施形態と同一の部分については、同一の符号を付して説明を省略する。第４の実施形態の特徴は、第３の実施形態において糊代片が３２ａ、３２ｂの２つあるのに対して、糊代片が４２の１つだけである点である。なお、図４（ａ）に示した展開図で示すブックケースも１枚の用紙を打ち抜き加工することにより形成されている。
【００１７】
図４（ａ）の展開図で示したブックケースは、各板、フラップ、糊代片の間を全て谷折することにより、図４（ｂ）に示したような外観を呈するブックケースが形成される。第３の実施形態と同様、糊代片４２に糊付けが行われた後、糊代片４２を、表紙板１０の下端に貼着することにより、表紙保持部が形成される。表紙保持部はサック箱７０側（図中右側）および上側に開口が設けられることになるため、出来本８０の表紙８１が、サック箱７０側もしくは上側から挿入されることにより、本が固定されることになり、ブックケースとしての役割を果たす。図４（ｂ）の展開図は、ブックケースの組み立て後、表紙保持部に、出来本８０の表紙８１を挿入することにより、出来本８０を固定した状態を示している。図４（ｂ）におけるＤ−Ｄ線に沿う断面図を図４（ｃ）に示す。図４（ｃ）を見ると良くわかるように、本８０の表紙８１が表紙板１０と折返板４１の間に差し込まれた状態となっている。第３の実施形態と第４の実施形態の違いとしては、第４の実施形態の方が糊代片が少ないため、基材として用いる紙が少なく、また、糊付および貼着工程も１つ少ないため、コストが低くなるという利点がある。さらに、サック箱側だけでなく上側も開いているため本の表紙の挿入がし易いという利点がある。反面、第３の実施形態には、挿入した本の表紙が、第４の実施形態に比べて外れ難いという利点がある。
【００１８】
（第５の実施形態）
本発明第５の実施形態によるブックケースを図５に示す。図５（ａ）は本発明第５の実施形態によるブックケースの展開図、図５（ｂ）は、図５（ａ）に示したブックケースを組み立てた状態の外観図、図５（ｃ）は、図５（ｂ）のＥ−Ｅ線における断面図である。図５（ａ）において、５１は折返板、５２は糊代片、５３ａ、５３ｂはスリットである。なお、その他上述の他の実施形態と同一の部分については、同一の符号を付して説明を省略する。第５の実施形態の特徴は、天板２に２本のスリット５３ａ、５３ｂが設けられている点である。このスリット５３ａ、５３ｂにより天板２は天板２ａ、天板２ｂ、天板２ｃに区分される。なお、上述の他の実施形態と異なり、前板４、後板５、差込フラップ７が底板１でなく天板２側に設けられているのは、スリット５３ａ、５３ｂに本の裏表紙を挟んだ際に、本が外れないように固定するためである。なお、本の保持部は、第４の実施形態と同様、折返板５１と糊代片５２で形成するようになっているが、これは一例であり、第１から第４の実施形態に示すような保持部であっても良い。なお、図５（ａ）に示した展開図で示すブックケースも１枚の用紙を打ち抜き加工することにより形成されている。
【００１９】
図５（ａ）の展開図で示したブックケースも、各板、フラップ、糊代片の間を全て谷折することにより、図５（ｂ）に示したような外観を呈するブックケースが形成される。糊代片５２には糊付けが行われた後、第４の実施形態と同様、糊代片５２に糊付けが行われた後、糊代片５２を、表紙板１０の下端に貼着することにより、表紙保持部が形成される。表紙保持部はサック箱７０側（図中右側）および上側に開口が設けられることになるため、出来本８０の表紙８１が、サック箱７０側もしくは上側から挿入されることにより、本が固定されることになり、ブックケースとしての役割を果たす。図５（ｂ）の展開図は、ブックケースの組み立て後、表紙保持部に、出来本８０の表紙８１を挿入すると共に両スリット５３ａ−５３ｂ間に裏表紙８２を挿入することにより、出来本８０を固定した状態を示している。図５（ｂ）に示すように、天板２に設けられたスリット５３ａ、５３ｂはサック箱７０上部（図中手前方向）に位置することになる。第５の実施形態では、上述の他の実施形態と異なり、裏表紙８２をスリット５３ａ、５３ｂを利用して固定することができる。このため、より外れ難いブックカバーとしての役割を果たす。図５（ｂ）におけるＥ−Ｅ線に沿う断面図を図５（ｃ）に示す。図５（ｃ）を見ると良くわかるように、本８０の表紙８１が表紙板１０と折返板５１の間に差し込まれた状態となっている。また、本８０の裏表紙８２がスリット５３ａとスリット５３ｂにより分けられる天板２ｂと天板２ａ、２ｃにより挟まれた状態となっている。
【００２０】
（第６の実施形態）
本発明第６の実施形態によるブックケースを図６に示す。図６（ａ）は本発明第６の実施形態によるブックケースの展開図、図６（ｂ）は、図６（ａ）に示したブックケースを組み立てた状態の外観図、図６（ｃ）は、図６（ｂ）のＦ−Ｆ線における断面図である。図６（ａ）において、６１は折返板、６２は糊代片である。なお、その他上述の他の実施形態と同一の部分については、同一の符号を付して説明を省略する。第６の実施形態の特徴は、折返板６１の幅は表紙板１０と同一であるが、長さ（図面中、上下方向）が短い点と、糊代片６２の幅が表紙板および折返板６１に比べて短い点である。なお、図６（ａ）に示した展開図で示すブックケースも１枚の用紙を打ち抜き加工することにより形成されている。
【００２１】
図６（ａ）の展開図で示したブックケースは、各板、フラップ、糊代片の間を全て谷折することにより、図６（ｂ）に示したような外観を呈するブックケースが形成される。糊代片６２には、糊付けが行われた後、糊代片６２を表紙板１０の下端に貼着することにより、表紙保持部が形成される。表紙保持部はサック箱７０側（図中右側）および上側に開口が設けられることになるため、出来本８０の表紙８１が、サック箱７０側もしくは上側から挿入されることにより、本８０が固定されることになり、ブックケースとしての役割を果たす。図６（ｂ）の展開図は、ブックケースの組み立て後、表紙保持部に、出来本８０の表紙８１を挿入することにより、出来本を固定した状態を示している。図６（ｂ）におけるＦ−Ｆ線に沿う断面図を図６（ｃ）に示す。図６（ｃ）を見ると良くわかるように、本８０の表紙８１が表紙板１０と折返板６１の間に差し込まれた状態となっている。上述の他の実施形態と比べると、基材として用いる紙が少なく、糊付および貼着工程も１つ少ないため、コストが低くなるという利点がある。さらに、サック箱側だけでなく上側も開いているため本の表紙の挿入がし易いという利点がある。
【００２２】
（第７の実施形態）
本発明第７の実施形態によるブックケースを図７に示す。図７（ａ）は本発明第７の実施形態によるブックケースの展開図、図７（ｂ）は、図７（ａ）に示したブックケースを組み立てた状態の外観図、図７（ｃ）は、図７（ｂ）のＧ−Ｇ線における断面図である。図７（ａ）において、ａは穴、ｂは塩ビシートである。なお、その他上述の他の実施形態と同一の部分については、同一の符号を付して説明を省略する。第７の実施形態の特徴は、天板２に抜き加工を行って穴ａを設け、穴ａを覆うようにして塩ビシートｂを設けた点にある。その他は、基本的には第１の実施形態と同じである。なお、図７（ａ）に示した展開図で示すブックケースは、１枚の用紙を打ち抜き加工した後、穴ａ部分に、塩ビシートｂを貼ることにより形成される。また、塩ビシートｂを穴ａ部分に貼り付ける代わりに、穴ａの抜き加工を行った後、ＰＰ（ポリプロピレン）加工を用紙全体に施しても良い。
【００２３】
図７（ａ）の展開図で示したブックケースは、各板、フラップ、糊代片の間を全て谷折することにより、図７（ｂ）に示したような外観を呈するブックケースが形成される。本を保持するための構造は、基本的に第１の実施形態と同じであるが、サック箱７０の構造が異なる。図７（ｂ）の展開図は、ブックケースの組み立て後、表紙保持部に、出来本８０の表紙８１を挿入することにより、出来本を固定した状態を示している。図７（ｂ）において、実線で示した窓ａの周囲の点線は塩ビシートｂの端が存在する部分を示す。図７（ｂ）に示すようにサック箱７０の組み立て時には、塩ビシートｂはサック箱７０の内側に位置することになる。図７（ｂ）におけるＧ−Ｇ線に沿う断面図を図７（ｃ）に示しておく。第７の実施形態は、上述の他の実施形態と異なり、サック箱７０の中身である付録を、穴ａを介すことにより、箱を開けることなく確認できる。付録本体が透明フィルム等で保護されていれば、塩ビシートｂを窓貼したり、ＰＰ加工を行う必要はない。なお、穴ａを覆って貼り付けるシートは塩ビシートに限らず、透明フィルムであれば良い。
【００２４】
以上、本発明の好適な実施形態について説明したが、本発明は上記実施形態に限定されず、種々の変形が可能である。例えば、上記第１、第７の実施形態では、糊代片１２ａ、１２ｂを折返板１１側に設けたが、表紙板１０側に設けるようにしても良いし、どちらか一方を折返板１１側に設け、もう一方を表紙板１０側に設けるようにしても良い。同様に、第３の実施形態においても、糊代片３２ａ、３２ｂを表紙板１０側に設けるか、折返板３１側と表紙板１０側に１つづつ設けるようにしても良い。また、第４、第５、第６の実施形態においても、糊代片を表紙板１０側に設けるようにしても良い。
【００２５】
また、上記第１、第２、第３、第４、第６、第７の実施形態では、前板４、後板５、差込フラップ７を底板１側に設けた構成としたが、天板２側に設けた構成としても良いし、前板４もしくは後板５のどちらか一方を底板１側に設け、もう一方を天板２側に設けた構成としても良い。
【００２６】
また、上記第７の実施形態では、穴ａおよび塩ビシートｂを天板２側に設けた構成としたが、底板１側に設けた構成としても良い。また、第７の実施形態は、穴ａおよび塩ビシートｂを、第１の実施形態に追加する形で設けたものであるが、同様に、第２、第３、第４、第６の実施形態における天板２または底板１に穴ａおよび塩ビシートｂを設ける構成としても良い。第５の実施形態に追加することも可能であるが、その場合は、底板１に穴ａおよび塩ビシートｂを設けることになる。
【００２７】
【発明の効果】
以上、説明したように本発明によれば、ブックケースを、サック箱を構成する基材と同一基材により表紙板、折返板、糊代片を形成して成り、前記折返板を折り返して糊代片で表紙板と折返板を固着することにより、サック箱側に本の表紙を差し込むための開口を有する表紙保持部を設けた構成としたので、本をブックケースに固定するための糊や剥離するための剥離糊が不要であると共に、厚い冊子を容易にブックケースに添付可能となるという効果を奏する。また、サック箱の天板に複数のスリットを有する構成とした場合には、本の裏表紙を固定することも可能となるという効果を奏する。
【図面の簡単な説明】
【図１】本発明に係るブックケースの第１の実施形態を示す図である。
【図２】本発明に係るブックケースの第２の実施形態を示す図である。
【図３】本発明に係るブックケースの第３の実施形態を示す図である。
【図４】本発明に係るブックケースの第４の実施形態を示す図である。
【図５】本発明に係るブックケースの第５の実施形態を示す図である。
【図６】本発明に係るブックケースの第６の実施形態を示す図である。
【図７】本発明に係るブックケースの第７の実施形態を示す図である。
【図８】従来のブックケースを示す図である。
【符号の説明】
１・・・底板
２・・・天板
３・・・側板
４・・・前板
５・・・後板
６・・・小フラップ
７・・・差込フラップ
８、１２、２２、３２、４２、５２、６２・・・糊代片
９・・・背表紙板
１０・・・表紙板
１１、２１、３１、４１、５１、６１・・・折返板
２３・・・保持片
７０・・・サック箱
８０・・・出来本
８１・・・表紙
８２・・・裏表紙
ａ・・・穴
ｂ・・・塩ビシート
【図１】
2004058506.tif 000003
【図２】
2004058506.tif 000004
【図３】
2004058506.tif 000005
【図４】
2004058506.tif 000006
【図５】
2004058506.tif 000007
【図６】
2004058506.tif 000008
【図７】
2004058506.tif 000009
【図８】
2004058506.tif 000010